(57)【要約】【課題】遊技者の邪魔にならず、音質が良く大きな音量を出力する大型のスピーカーから発生する演出音を、遊技者に明瞭に聞き取らせ得るようにした構成を備えた遊技機を提供する。【解決手段】遊技機本体３の裏部に備えた導音管１８の、一方の集音管端１８ａでスピーカー１６を遮音状に覆い、他方の放音管端１８ｂで遊技機本体３の前面の所定位置に設けた放音口１７を裏方から遮音状に覆うことにより、スピーカー１６から発生する演出音を放音口１７に導出するようにした。これにより、大型のスピーカー１６を放音口１７から離れた位置に配設することができ、該スピーカーから発生する演出音を、遊技者に明瞭に聞き取らせることができる。【選択図】　図２
2004135978.tif 000002
【特許請求の範囲】
【請求項１】
遊技状態に応じて各種の効果音或いは報知音等の演出音をスピーカーから発生させるようにした遊技機において、
一方の集音管端でスピーカーを遮音状に覆い、他方の放音管端で遊技機本体前面の所定位置に設けた放音口を裏方から遮音状に覆って、前記スピーカーから発生する演出音を放音口に導出するようにした導音管を、遊技機本体の裏部に備えたことを特徴とする遊技機。
【請求項２】
導音管の放音管端が、先端に至るに従って次第に拡開するコーン状であることを特徴とする請求項１記載の遊技機。
【請求項３】
放音口が、前方に至るに従って次第に拡開するコーン状であることを特徴とする請求項１記載の遊技機。
【請求項４】
放音口の前面に、該放音口を開閉してその開口度により放出音量を調整する音量調整板を配設するとともに、該音量調整板を遊技機本体の前面側から開閉操作可能としたことを特徴とする請求項１乃至請求項３の何れかに記載の遊技機。
【請求項５】
遊技機本体を保持する外枠の枠杆内に空洞部を設け、該空洞部を導音管の主管部としたことを特徴とする請求項１乃至請求項４の何れかに記載の遊技機。
【発明の詳細な説明】
【０００１】
【発明の属する技術分野】
本発明は、遊技状態に応じて各種の効果音或いは報知音等の演出音をスピーカーから発生させるようにした遊技機に関する。
【０００２】
【従来の技術】
一般に、パチンコ遊技機やスロット遊技機等の遊技機は、演出音を発生するスピーカーを備えており、該スピーカーから各種の効果音或いは報知音等の演出音を遊技状態に応じて発生するようになっている。
【０００３】
演出音は遊技の興趣性を高めるために欠かせないものであるが、該演出音は稼動中の各遊技機から略連続的に発生するため、これらが混ざり合って大きな騒音となる。個々の遊技者にとっては周囲の遊技機から発生する演出音は、自分が遊技している遊技機の遊技状態に全く関係のないものであるため煩わしさを感じたり、場合によっては、その騒音のために自分が遊技している遊技機から発生した演出音が聞こえないこともある。このような不具合を解消する目的で、遊技機本体から前方に突設したアームを介してヘッドホンを保持するようにした構成（例えば、特許文献１参照）も提案されている。
【０００４】
【特許文献１】
特開２００２−１８６７１０号公報
【０００５】
【発明が解決しようとする課題】
ところで、遊技者に対して当該遊技機で発生する演出音を周囲の騒音に邪魔されることなく明瞭に聞き取らせるためには、音質が良く大きな音量を出力する大型のスピーカーを、着座姿勢にある遊技者の耳になるべく近い高さに対応する遊技機本体の前面位置に配設することが望ましいのであるが、該位置には、遊技領域を始めとして各種遊技構成部材が配設されているため、大型のスピーカーを配設する広いスペースを確保することは極めて困難である。また、パチンコ遊技機にあっては、大型のスピーカーを遊技領域に近接させると、該スピーカーが具備する磁石によって遊技球に対する悪影響が生じる虞もある。一方、特許文献１に開示されているように、遊技機本体の前方にヘッドホンを保持するようにしたものにあっては、周囲の騒音を排除して当該遊技機で発生する演出音を聞き取らせることはできるものの、椅子に座ったり、立ったりするときに邪魔となる上、遊技中は同一姿勢を維持することを余儀なくされるため、実用性に難点がある。
【０００６】
本発明は、遊技者の邪魔にならず、音質が良く大きな音量を出力する大型のスピーカーから発生する演出音を、遊技者に明瞭に聞き取らせ得るようにした構成を備えた遊技機を提供することを目的とするものである。
【０００７】
【課題を解決するための手段】
本発明は、遊技状態に応じて各種の効果音或いは報知音等の演出音をスピーカーから発生させるようにした遊技機において、一方の集音管端でスピーカーを遮音状に覆い、他方の放音管端で遊技機本体前面の所定位置に設けた放音口を裏方から遮音状に覆って、前記スピーカーから発生する演出音を放音口に導出するようにした導音管を、遊技機本体の裏部に備えたことを特徴とする遊技機である（請求項１）。
【０００８】
かかる構成にあって、スピーカーを放音口から離れた位置に配設しても、該スピーカーから発生する演出音を、導音管によって、遊技機本体前面の所定位置に設けた放音口に導出することができる。これにより、大型スピーカーを、遊技機本体の裏面側に生じている余裕スペース部に配設することが可能となり、大型スピーカーを遊技機本体の前面位置に直接配設しなくても、音質が良い大きな音量の演出音を着座姿勢にある遊技者に明瞭に聞かせることができる。ここで、パチンコ遊技機にあっては、遊技機本体の下端部に設けられる幕板背面の帯状領域には通常何も配設されないため、この幕板背面の帯状領域を大型スピーカーを配設する余裕スペース部とすることができ、遊技領域から最も離れているのでスピーカーが具備する磁石が遊技球に及ぼす悪影響も回避できる。また、導音管の集音管端でスピーカーを遮音状に覆うとともに、導音管の放音管端で放音口を裏方から遮音状に覆うことにより、雑音の混入を防止することができる。さらに、導音管は遊技機本体の前面側に突出することがないため、遊技者の邪魔になることもない。
【０００９】
前記構成にあって、導音管の放音管端を、先端に至るに従って次第に拡開するコーン状とする構成（請求項２）が提案される。かかる構成とすることにより、導音管の放音管端で、所謂メガホンと同様の拡声作用を生じさせることができる。ここで本発明でいうコーン状とは、截頭状の円錐形または角錐形等の截頭錐形状を呈する形状が好適となる。
【００１０】
また、放音口を、前方に至るに従って次第に拡開するコーン状とする構成（請求項２）が提案される。この構成にあっても、放音口で、所謂メガホンと同様の拡声作用を生じさせることができる。
【００１１】
また、放音口の前面に、該放音口を開閉してその開口度により放出音量を調整する音量調整板を配設するとともに、該音量調整板を遊技機本体の前面側から開閉操作可能とした構成（請求項４）が提案される。かかる構成にあっては、遊技者の好みにより、遊技者自身が放出音量を調整することができる。
【００１２】
さらに、遊技機本体を保持する外枠の枠杆内に空洞部を設け、該空洞部を導音管の主管部とする構成（請求項５）が提案される。かかる構成にあっては、導音管を別途配管する必要がないとともに、遊技機本体の裏面側においても導音管が邪魔になることがなく、さらに導音管を別途配管した場合に生じる、他物との衝突による変形や破損を防止することができる。
【００１３】
【発明の実施の形態】
以下に、本発明をパチンコ遊技機に適用した第一実施例を、図１〜図５に基づいて説明する。
【００１４】
パチンコ遊技機１は、図１，図２に示すように、遊技島設備（図示省略）に固定される矩形枠状の外枠２と、該外枠２の前面開口部分を覆う遊技機本体３とからなる。
【００１５】
遊技機本体３の前面には、図１に示すように、遊技領域４を覆う前面パネル５が配設されており、該前面パネル５の中央部に開口された略円形の窓部６に透明なガラス板７が保持されている。これにより、該窓部６からガラス板７を通して遊技領域４を透視し得るようになっている。
【００１６】
前面パネル５の下方位置には、遊技球を一時的に貯留する上受け皿８を備えた上皿パネル９が配設され、また、該上皿パネル９の下方位置に下受け皿１０と発射ハンドル１１とを備えた下皿パネル１２が配設されている。さらに発射ハンドル１１の背面側には、上受け皿８から一個ずつ供給される遊技球を遊技領域４に打ち出す球発射装置（図示せず）が設けられている。また、前面パネル５，上皿パネル９，下皿パネル１２は、その一側縁がヒンジ１３，１３を介して外枠２に軸支されており、メンテナンス時等において片開き状に夫々開閉し得るようになっている。
【００１７】
また、遊技機本体３の前面側の下端部には、下皿パネル１２の下部に位置させて、帯板状の幕板１４が配設されており、この幕板１４の背面の帯状領域１５にスピーカー１６（図３参照）が配設されている。ここで、パチンコ遊技機１にあっては、前記帯状領域１５が、通常、他の遊技構成部材が何も配設されない余裕スペース部となっているため、この余裕スペース部に大型のスピーカー１６を配設することができる。
【００１８】
一方、前記前面パネル５の上部の左右両側には、図２に示すように、該前面パネル５を表裏方向に貫通する放音口１７，１７が設けられている。そして、遊技機本体３の裏部に備えた可撓パイプからなる導音管１８により、前記スピーカー１６から発生する効果音或いは報知音等の演出音を前記放音口１７，１７に導出し得るようになっている。ここで、該導音管１８は、図４に示すように、一方の集音管端１８ａでスピーカー１６を遮音状に覆い、他方の放音管端１８ｂで放音口１７を裏方から遮音状に覆うように設けられており、これによって、放音口１７，１７に導出される演出音に雑音が混入しないようになっている。また、導音管１８の放音管端１８ｂは、図２に示すように、先端に至るに従って次第に拡開するコーン状となっており、所謂メガホンと同様の拡声作用を生じさせるようにしている。尚、導音管１８は、幕板１４の背面の帯状領域１５に二個のスピーカー１６を配設し、両スピーカー１６から二本の導音管１８を延出させて、その各先端を左右の放音口１７，１７の裏方に夫々接続してもよいし、或いは、単一のスピーカー１６から延出させた導音管１８を途中で二股状に分岐させて、その各先端を左右の放音口１７，１７の裏方に夫々接続するようにしてもよい。
【００１９】
また、前記放音口１７，１７の前面には、図１，図５に示すように、多数の小孔１９が穿設された保護板２０が各放音口１７を覆うようにして夫々固着されており、さらに、該保護板２０の前側に各放音口１７を開閉してその開口度により放出音量を調整する音量調整板２１ａ，２１ｂが左右一対で配設されている。該音量調整板２１ａ，２１ｂは、夫々左右方向に摺動可能に設けられており、その中央寄り端部に突設された把手部２２，２２を介して遊技機本体３の前面側から開閉操作し得るようになっている。ここで、遊技者自身が好みによって、図５（イ）に示すように、左右の音量調整板２１ａ，２１ｂを開くことにより、最も大きな演出音を放音口１７から放出させることができ、図５（ロ），（ハ）に示すように、左右何れかの音量調整板２１ａ，２１ｂの一方を閉じることにより、演出音を半減させるとともに、音の指向性を変化させることができ、図５（ニ）に示すように、左右の音量調整板２１ａ，２１ｂを閉じることにより、演出音を最も小さくすることができる。
【００２０】
かかる構成にあって、放音口１７，１７から離れた位置に配設したスピーカー１６から発生する演出音を、導音管１８によって、遊技機本体３の前面に設けた放音口１７，１７に導出することができる。これにより、大型のスピーカー１６を、遊技機本体３の裏面側に生じている余裕スペース部に配設することが可能となり、該スピーカー１６を遊技機本体３の前面位置に直接配設しなくても、音質が良い大きな音量の演出音を着座姿勢にある遊技者に明瞭に聞かせることができる。また、スピーカー１６を配設する余裕スペース部としての幕板１４の背面の帯状領域１５は、遊技領域４から最も離れているため、該スピーカー１６が具備する磁石が遊技球に及ぼす悪影響も回避できる。また、導音管１８は遊技機本体３の前面側に突出することがないため、遊技者の邪魔になることもない。
【００２１】
図６は、第二実施例を示し、この実施例は、導音管１８の放音管端１８ｂをコーン状とする構成に代えて、前面パネル５に形成される放音口１７を、前方に至るに従って次第に拡開するコーン状としたものである。かかる構成にあっても、コーン状の放音口１７によって所謂メガホンと同様の拡声作用を生じさせることが可能である。
【００２２】
図７，図８は、第三実施例を示し、この実施例は、遊技機本体３を保持する外枠２の枠杆２３内に空洞部２４を設け、該空洞部２４を導音管１８の主管部としたものである。この空洞部２４は、枠杆２３内に上下方向に沿って形成された凹溝２５と、該凹溝２５の開口部を側方から塞ぐ蓋板２６によって構成されており、該蓋板２６の下端部に開口された連通孔２７にスピーカー１６が凹溝２５内に向けて取り付けられている。ここで、該スピーカー１６は、上述した余裕スペース部としての幕板１４の背面の帯状領域１５に対応する位置に配設されている。また、蓋板２６の上端部には、凹溝２５内と連通するコーン状の放音管部２７が前方に突設されており、該放音管部２７によって放音口１７（図１参照）を裏方から遮音状に覆う放音管端１８ｂが構成されている。これにより、スピーカー１６から発生する演出音を空洞部２４及び放音管部２７を介して放音口１７に導出し得るようになっている。
【００２３】
かかる構成にあっては、前記第一実施例及び第二実施例のように導音管１８を別途配管する必要がないとともに、遊技機本体３の裏面側においても導音管１８が邪魔になることがなく、さらに導音管１８を別途配管した場合に生じる、他物との衝突による変形や破損を防止することができる。
【００２４】
尚、第一実施例乃至第三実施例では、放音口１７，１７を前面パネル５の上部の左右両側に配設した構成について説明したが、該放音口１７，１７は、前面パネル５の中段高さ位置（図９参照）や、上皿パネル９の側部位置（図１０参照）等の遊技者が報知音を聞き取り易い遊技機本体３の前面の所定位置に設けることができる。
【００２５】
また、放音口１７の前面に、該放音口１７を開閉してその開口度により放出音量を調整する、面方向に摺動可能な音量調整板２１ａ，２１ｂを配設する構成は、その背面にスピーカーを直接備えた構造にも勿論適用可能である。
【００２６】
さらに、上記各実施例では、本発明をパチンコ遊技機に適用した場合について説明したが、本発明は、各種の演出音をスピーカーから発生させるスロット遊技機にも適用可能である。
【００２７】
【発明の効果】
本発明は、上述したように、遊技状態に応じて各種の効果音或いは報知音等の演出音をスピーカーから発生させるようにした遊技機にあって、一方の集音管端でスピーカーを遮音状に覆い、他方の放音管端で遊技機本体前面の所定位置に設けた放音口を裏方から遮音状に覆って、前記スピーカーから発生する演出音を放音口に導出するようにした導音管を、遊技機本体の裏部に備えたことを特徴とする遊技機であるから（請求項１）、スピーカーを放音口から離れた位置に配設しても、該スピーカーから発生する演出音を、導音管によって、遊技機本体前面の所定位置に設けた放音口に導出することができる。これにより、大型スピーカーを、遊技機本体の裏面側に生じている余裕スペース部に配設することが可能となり、大型スピーカーを遊技機本体の前面位置に直接配設しなくても、音質が良い大きな音量の演出音を着座姿勢にある遊技者に明瞭に聞かせることができる。ここで、本発明をパチンコ遊技機に適用した場合には、遊技機本体の下端部に設けられる幕板背面の帯状領域に大型スピーカーを配設することができるとともに、遊技領域から最も離れているのでスピーカーが具備する磁石が遊技球に及ぼす悪影響も回避できる。また、導音管の集音管端でスピーカーを遮音状に覆うとともに、導音管の放音管端で放音口を裏方から遮音状に覆うことにより、雑音の混入を防止することができる。さらに、導音管は遊技機本体の前面側に突出することがないため、遊技者の邪魔になることもない。
【００２８】
前記構成にあって、導音管の放音管端を、先端に至るに従って次第に拡開するコーン状とすることにより（請求項２）、導音管の放音管端で、所謂メガホンと同様の拡声作用を生じさせることができる。
【００２９】
また、放音口を、前方に至るに従って次第に拡開するコーン状とすることもでき（請求項３）、この構成にあっても、放音口で、所謂メガホンと同様の拡声作用を生じさせることができる。
【００３０】
また、放音口の前面に、該放音口を開閉してその開口度により放出音量を調整する音量調整板を配設するとともに、該音量調整板を遊技機本体の前面側から開閉操作可能とした構成（請求項４）にあっては、遊技者の好みにより、遊技者自身が放出音量を調整することができる。
【００３１】
さらに、遊技機本体を保持する外枠の枠杆内に空洞部を設け、該空洞部を導音管の主管部とする構成（請求項５）にあっては、導音管を別途配管する必要がないとともに、遊技機本体の裏面側においても導音管が邪魔になることがなく、さらに導音管を別途配管した場合に生じる、他物との衝突による変形や破損を防止することができる。
【図面の簡単な説明】
【図１】第一実施例にかかるパチンコ遊技機１の正面図である。
【図２】同上の側面図である。
【図３】スピーカー１６と、導音管１８の集音管端１８ａとの分離状態を示す斜視図である。
【図４】スピーカー１６と、導音管１８の集音管端１８ａとの接続状態を示す斜視図である。
【図５】放音口１７の前面に配設した音量調整板２１ａ，２１ｂの作用状態を示す正面図である。
【図６】第二実施例にかかるパチンコ遊技機１の側面図である。
【図７】外枠２の枠杆２３内に空洞部２４を設けた第三実施例の分解斜視図である。
【図８】同上の第三実施例の外観斜視図である。
【図９】前面パネル５の中段高さ位置に放音口１７，１７を設けた状態を示すパチンコ遊技機１の正面図である。
【図１０】上皿パネル９の側部位置に放音口１７，１７を設けた状態を示すパチンコ遊技機１の正面図である。
【符号の説明】
１　パチンコ遊技機（遊技機）
２　外枠
３　遊技機本体
１６　スピーカー
１７　放音口
１８　導音管
１８ａ　集音管端
１８ｂ　放音管端
２１ａ，２１ｂ　音量調整板
２３　枠杆
２４　空洞部
【図１】
2004135978.tif 000003
【図２】
2004135978.tif 000004
【図３】
2004135978.tif 000005
【図４】
2004135978.tif 000006
【図５】
2004135978.tif 000007
【図６】
2004135978.tif 000008
【図７】
2004135978.tif 000009
【図８】
2004135978.tif 000010
【図９】
2004135978.tif 000011
【図１０】
2004135978.tif 000012